(57)【要約】【課題】  簡単な構造で製造コストを削減するとともに、操作を容易とし、さらにボルトに締結した際の締付効果を向上させることができるロックナットを提供すること。【解決手段】  本発明のロックナットは、ネジ孔が軸方向中央に貫通され、外周に多角形部が形成された第一ナットと、該第一ナットに具備される第二ナットで構成されるダブルナットにおいて、前記第一ナットは、ネジ孔外周であって、多角形部を除く箇所に形成されたテーパ部と、該テーパ部に形成された切込部とを備えることを特徴とする。  また前記切込部は、テーパ部に少なくとも１箇所以上形成されている。  また前記第二ナットは、ネジ孔が軸方向中央に貫通されるとともに、前記ネジ孔の一部に、前記第一ナットのテーパ部が配設される第二テーパ部が形成されている。【選択図】図１
2013185704.tif 000002
【特許請求の範囲】
【請求項１】
ネジ孔が軸方向中央に貫通され、外周に多角形部が形成された第一ナットと、該第一ナットに具備される第二ナットで構成されるダブルナットにおいて、前記第一ナットは、ネジ孔外周であって、多角形部を除く箇所に形成されたテーパ部と、該テーパ部に形成された切込部とを備えることを特徴とするロックナット。
【請求項２】
前記切込部は、テーパ部に少なくとも１箇所以上形成されている請求項１記載のロックナット。
【請求項３】
前記第二ナットは、ネジ孔が軸方向中央に貫通されるとともに、前記ネジ孔の一部に、前記第一ナットのテーパ部が配設される第二テーパ部が形成されている請求項１記載のロックナット。
【請求項４】
前記第一ナットに、テーパ状の開孔部を有する座金を装着した請求項１記載のロックナット。
【発明の詳細な説明】
【技術分野】
【０００１】  本発明は、簡単な構造で且つ操作を容易とし、さらにボルトに締結した際の締付効果を向上させることができるロックナットに関する。
【背景技術】
【０００２】  一般的に、二つ以上の部材を結合するには、ボルトとナットが使用される。この際、部材の貫通孔にボルトを挿入させ、ボルトの先端よりナットを螺着させてナットを締め付ける結合させる。【０００３】  しかし、時間が経につれて、振動の発生や部材の変形によりナットが緩み、締付効力が低下するという問題が発生する。そのため、定期的に検査を行いナットの締付作業を実施しなければならなかった。
【先行技術文献】
【特許文献】
【０００４】  それらの課題を解決する従来技術として、的確な締め付けトルクでもってナットの締め付けを容易に且つ確実に行うことができ、かつ、締め付け後はいたずら等により容易に取り外すことのできないようにする取り外し防止機能を有するナット、並びに、緩み止め特殊ダブルナットがある（例えば特許文献１参照）。
上掲特許文献１の取り外し防止機能を有するナット、並びに、緩み止め特殊ダブルナットは、ネジ孔が軸方向に貫通して軸中央部に形成されたナット本体と、該ナット本体の軸方向上部に設けられた回転工具係合部と、ナット本体と回転工具係合部とを連結する連結部とを備えて一体成形され、回転工具係合部の軸中央部にネジ孔の径よりも大きな径を有する空洞を形成し、回転工具係合部に係合した回転工具により所定トルクを超える締め付けトルクで回転工具係合部を締結したときに連結部が破断して、これによりナット本体から回転工具係合部が分離されてなることを特徴とするものである。
【特許文献１】特開２００７−４０３４４号公報
【発明の概要】
【発明が解決しようとする課題】
【０００５】  しかしながら、上掲特許文献１の取り外し防止機能を有するナット、並びに、緩み止め特殊ダブルナットは、部品点数が多くなりコスト高に繋がるとともに、作業効率も低下するという問題が生じた。【０００６】  そこで本発明は上記の点に鑑み、簡単な構造で製造コストを削減するとともに、操作を容易とし、さらにボルトに締結した際の締付効果を向上させることができるロックナットを提供することにある。
【解決を解決するための手段】
【０００７】  上記課題を解決するために本発明のロックナットは、ネジ孔が軸方向中央に貫通され、外周に多角形部が形成された第一ナットと、該第一ナットに具備される第二ナットで構成されるダブルナットにおいて、前記第一ナットは、ネジ孔外周であって、多角形部を除く箇所に形成されたテーパ部と、該テーパ部に形成された切込部とを備えることを特徴とする。
【０００８】  また前記切込部は、テーパ部に少なくとも１箇所以上形成されている。
【０００９】  また前記第二ナットは、ネジ孔が軸方向中央に貫通されるとともに、前記ネジ孔の一部に、前記第一ナットのテーパ部が配設される第二テーパ部が形成されている。
【００１０】  さらに前記第一ナットに、テーパ状の開孔部を有する座金を装着してもよい。
【発明の効果】
【００１１】  前記第一ナットは、ネジ孔外周であって、多角形部を除く箇所に形成されたテーパ部と、該テーパ部に形成された切込部とを備え、第二ナットは、ネジ孔が軸方向中央に貫通されるとともに、前記ネジ孔の一部に、前記第一ナットのテーパ部が配設される第二テーパ部が形成されていることにより、製造が容易で、ネジの締め付け作業も容易に行うことができる。
【００１２】  また前記切込部は、テーパ部に少なくとも１箇所以上形成されているため、チャック式ナットのように、第一ナットのテーパ部が第二ナットの第二テーパ部に食い込み締め付け強度を一層高めることができる。
【図面の簡単な説明】
【００１３】
【図１】本発明におけるロックナットの第一ナットの斜視図である。
【図２】前記第一ナットの正面図である。
【図３】前記第一ナットの平面図である。
【図４】第二ナットと第一ナットの斜視図である。
【図５】第二ナットと第一ナットの使用状態断面図である。
【図６】座金と第一ナットの斜視図である。
【図７】座金と第一ナットの使用状態断面図である。
【図８】本発明におけるロックナットの使用状態断面図である。
【発明を実施するための形態】
【００１４】  以下、本発明のロックナットにおける実施の形態を図面に基づいて説明する。
本発明のロックナットは、簡単な構造で製造コストを削減するとともに、操作を容易とし、さらにボルトに締結した際の締付効果を向上させることができることを特徴とする。
【００１５】  図示するロックナット１は、ネジ孔１１が軸方向中央に貫通され、外周に多角形部１２が形成された第一ナット１０と、該第一ナット１０に具備される第二ナット２０で構成される。
【００１６】  前記第一ナット１０は、ネジ孔１１外周であって、多角形部１２を除く箇所に形成されたテーパ部１３と、該テーパ部１３に形成された切込部１６とを備えることを特徴とする。
【００１７】  前記多角形部１２は、第一ナット１０を回転させるためレンチ等の工具を係合させのものである。前記多角形部１２は、本発明のロックナット１においては、四角形や八角形等の様々な形状でも同様に使用することができる。
【００１８】  テーパ部１３は、ネジ孔１１の外周であって、前記多角形部１２の上部に形成されている。前記テーパ部１３は、多角形部１２の上部に垂直状に形成された立上部１４と、立上部１４より連設されたネジ孔１１方向へ傾斜する傾斜部１５とで形成されている。
【００１９】  また特に、前記テーパ部１３には、切込部１６が形成されている。該切込部１６は、傾斜部１５の上部より立上部１４の基部までに形成されている。また前記切込部１６は、テーパ部１３に少なくとも１箇所以上形成されている。特に、加工面や締め付け効果を考慮した場合、図示するように４箇所形成することが好ましい。
【００２０】  テーパ部１３に前記切込部１６を形成することにより、図５に示すように、第二ナット２０に第一ナット１０のテーパ部１３を配置させ、第一ナット１０をネジ込むことにより、第一ナット１０のテーパ部１３が内側に締付けられる。さらに第一ナット１０をネジ込むと、切込部１６が押圧、圧縮されて締結力が向上し、第一ナット１０と第二ナット２０がロックされた状態となる。
【００２１】  第二ナット２０は、図４の（ａ）に示すように、ネジ孔２１が軸方向中央に貫通されるとともに、前記ネジ孔２１の一部に、前記第一ナット１０の傾斜部１５が配設される第二テーパ部２２が形成されている。前記第二テーパ部２２は、前記第一ナット１０の傾斜部１５と同じ傾斜角にて形成されており、第一ナット１０と第二ナット２０を接合させた際、摩擦面積が広くなり締め付け状態が向上する。
【００２２】  また他の好適例として、図６に示すように、前記第一ナット１０に、テーパ状の開口部３１を有する座金３０を装着してもよい。前記座金３０の中央には、第一ナット１０の傾斜部１５と同じ傾斜角度のテーパ状の開口部３１が形成される。座金３０にテーパ状の開口部３１を形成することで、図７に示すように、第一ナット１０と座金３０を接合させた際、摩擦面積が広くなり締め付け状態が向上する。
【００２３】    次に、本発明のロックナット１における使用状態の一例を図８に基づいて説明する。
【００２４】  複数の被締結部材４１に貫通孔を穿孔し、ボルト４０を挿入させる。次に、ボルト４０の先方より第一ナット１０をネジ込む。この際、第一ナット１０は多角形部１２が被締結部材４１に配置されるようにネジ込む。
【００２５】  次に、第一ナット１０にて被締結部材４１を一旦締結した後、第二ナット２０をボルト４０にネジ込む。この際、第二テーパ部２２が先方に配置されるようにネジ込む。なお、第一ナット１０のネジ込み時に、第二ナット２０をボルト４０にネジ込んでもよい。
【００２６】  第一ナット１０にて被締結部材４１を締結した後、さらに第二ナット２０をネジ込む。この際、第一ナット１０の立上部１４と傾斜部１５が第二ナット２０の第二テーパ部２２にて締め付けられ、ボルト４０のネジと第一ナット１０のネジとが強靭に噛んだ状態に噛合される。そのことにより、第一ナット１０と第二ナット２０とがロックされた状態となる。なお、第二ナット２０をネジ込んだ後に第一ナット１０をネジ込んでもよい。
【００２７】  上述の構成により、被締結部材の締め付け後のナットの緩みを解消できるとともに、バネ等を介在した場合にロック状態が一層向上される。そのため、本発明のロックナットは建築部材、アンカーボルト、ポンプの水管、鉄塔、橋梁等さまざまな分野に利用できる。
【符号の説明】
【００２８】１    ロックナット
１０  第一ナット
１１  ネジ孔
１２  多角形部
１３  テーパ部
１４  立上部
１５  傾斜部
１６  切込部
２０  第二ナット
２１  ネジ孔
２２  第二テーパ部
３０  座金
３１  開口部
４０  ボルト
４１  被締結部材
【図１】
2013185704.tif 000003
【図２】
2013185704.tif 000004
【図３】
2013185704.tif 000005
【図４】
2013185704.tif 000006
【図５】
2013185704.tif 000007
【図６】
2013185704.tif 000008
【図７】
2013185704.tif 000009
【図８】
2013185704.tif 000010